(57)【要約】【課題】  年間シート購入者が興行開催当日に利用できなくなった契約席に係る入場利用情報を随時チケット購入者が取得できるとすると共に、年間ボックスシートの空きを低減できるようにする。【解決手段】  情報処理装置３００は、年間シート購入者＃Ａｉから売り対象該当開催日の興行場４０１の契約席４０２に係る入場利用権情報Ｄ０の売り条件を含む注文を受け付け、かつ、随時チケット購入者＃Ｂｊから任意の入場希望開催日の興行場４０１の空席に係る入場券情報の買い条件を含む注文を受け付け、ここで受け付けられた年間シート購入者＃Ａｉの売り注文と随時チケット購入者＃Ｂｊの買い注文とを比較し売買条件を照合して成約の有無を判別し、成約の有無の判別結果に基づいて売り対象該当開催日のみの年間シート購入者＃Ａｉの契約席４０２に係る入場利用権情報Ｄ０を随時チケット購入者＃Ｂｊへ移転するものである。【選択図】    図１
2007265260.tif 000002
【特許請求の範囲】
【請求項１】
所定の興行場の契約席を利用可能な入場利用権情報を処理する情報処理装置であって、
前記興行場に関して年間を通して利用可能な契約席を購入した者を年間チケット購入者とし、年間シート購入者以外の者を随時チケット購入者としたとき、
前記年間シート購入者から売り対象該当開催日の興行場の契約席に係る入場利用権情報の売り条件を含む注文を受け付け、かつ、前記随時チケット購入者から任意の入場希望開催日の興行場の空席に係る入場券情報の買い条件を含む注文を受け付ける受付手段と、
前記受付手段によって受け付けられた年間シート購入者の売り注文と前記随時チケット購入者の買い注文とを比較し売買条件を照合して成約の有無を判別する判別手段とを備え、
前記成約の有無の判別結果に基づいて売り対象該当開催日の年間シート購入者の契約席に係る入場利用権情報を前記随時チケット購入者へ移転することを特徴とする情報処理装置。
【請求項２】
所定の興行場の契約席を利用可能な入場利用権情報を処理する情報処理システムであって、
前記興行場に関して年間を通して利用可能な契約席を購入した者を年間シート購入者とし、年間シート購入者以外の者を随時チケット購入者としたとき、
前記年間シート購入者が有する売り対象該当開催日の興行場の契約席に係る入場利用権情報に関して売り条件を含む注文を送信する第１の情報通信処理装置と、
前記随時チケット購入者が希望する任意の入場希望開催日の興行場の空席に係る入場券情報の買い条件を含む注文を送信する第２の情報通信処理装置と、
前記第１の情報通信処理装置から年間シート購入者の売り注文を受信し、かつ、前記第２の情報通信処理装置から随時チケット購入者の買い注文を受信し、前記年間シート購入者の売り注文と前記随時チケット購入者の買い注文とを比較し売買条件を照合して成約の有無を判別する情報処理装置とを備え、
前記情報処理装置は、
前記成約の有無の判別結果に基づいて売り対象該当開催日の年間シート購入者の契約席に係る入場利用権情報を前記随時チケット購入者の情報通信処理装置へ送信することを特徴とする情報処理システム。
【請求項３】
前記随時チケット購入者の情報通信処理装置は携帯電話機であり、
前記売り対象該当開催日の年間シート購入者の契約席に係る入場利用権情報を前記携帯電話機に配信し、
前記入場利用権情報が配信された携帯電話機を前記興行場に設けられた端末装置にかざすことにより、
前記端末装置が前記携帯電話機の入場利用権情報を読み取り、当該興行場への入場が許可され、前記契約席の利用が許可されることを特徴とする請求項１に記載の情報処理システム。
【請求項４】
所定の興行場の契約席を利用可能な入場利用権情報を処理する情報処理方法であって、
前記興行場に関して年間を通して利用可能な契約席を購入した者を年間シート購入者とし、年間シート購入者以外の者を随時チケット購入者としたとき、
一方で前記年間シート購入者から売り対象該当開催日の興行場の契約席に係る入場利用権情報の売り条件を含む注文を受け付けるステップと、
他方で前記随時チケット購入者から任意の入場希望開催日の興行場の空席に係る入場券情報の買い条件を含む注文を受け付けるステップと、
前記年間シート購入者の売り注文と前記随時チケット購入者の買い注文とを比較し売買条件を照合して成約の有無を判別するステップと、
前記成約の有無の判別結果に基づいて売り対象該当開催日の年間シート購入者の契約席に係る入場利用権情報を前記随時チケット購入者へ移転するステップとを有することを特徴とする情報処理方法。
【発明の詳細な説明】
【技術分野】
【０００１】
本発明は、プロ野球チームや、Ｊリーグ各チーム、相撲協会等が主催する興行場を年間を通して利用可能な契約席を年間シート購入者の売り注文と随時チケット購入者の買い注文とを仲介して１日券的性質の入場券情報をインターネット等で売買する会員制チケット販売システムに適用可能な情報処理装置、情報処理システム及び情報処理方法に関する。
【０００２】
詳しくは、年間シート購入者の売り注文と随時チケット購入者の買い注文とを比較し売買条件を照合して成約の有無を判別する判別手段を備え、成約の有無の判別結果に基づいて売り対象該当開催日のみの年間シート購入者の契約席に係る入場利用権情報を随時チケット購入者へ移転するようにして、年間シート購入者が興行開催当日に利用できなくなった契約席に係る入場利用権を随時チケット購入者が取得できるとすると共に、年間ボックスシートの空きを低減できるようにしたものである。
【背景技術】
【０００３】
近年、プロ野球チームや、Ｊリーグ各チーム、相撲協会等の興行場において、年間を通して利用可能な契約席（以下年間ボックスシートともいう）を販売する場合が多くなってきた。年間ボックスシートは、一般の観客席とシート割り当て領域が異なり、メインスタンドに設置される場合が多い。年間ボックスシートは、ばら売り可能となされる。所定の興行場に関して、年間を通して利用可能な年間ボックスシートを購入した者を年間シート購入者としたとき、当該年間シート購入者がゲーム開催当日に都合が悪くなる等でその契約席に係る入場利用権を失権してしまう場合がある。
【０００４】
このような興行場のチケット販売システムに関連して特許文献１には、チケット再販システムが開示されている。このシステムによれば、ネットワークを使用し、会員間で再販仲介される座席権利に関する各種情報をデータベース化し、各情報を最新の状態に保ち共有するようになされる。このようにシステムを構成すると、座席権利の売買の利便を図られ、会場運営の効率を向上できるというものである。
【０００５】
このシステムを利用すると、一日券を対象とする観客席のチケット再販に関して、チケット購入者からの売り注文に応じて興行主催者が買い上げることにより、その空席の入場利用権は、興行主催者に帰属できる。従って、興行主催者は、チケット購入者の買い注文に応じて、その空席に係る入場利用権を容易に再販できるようになる。
【０００６】
【特許文献１】特開２００３−３０８４４６号公報  （第７頁  図５）
【発明の開示】
【発明が解決しようとする課題】
【０００７】
ところで、従来例に係るチケット販売システムによれば、年間シート購入者がゲーム開催当日に都合が悪くなる等でその契約席に係る入場利用権が失権しないようにすると、次のような問題がある。
【０００８】
ｉ．特許文献１に見られるチケット再販システムを年間シート購入者の年間ボックスシートに係る当該興行開催当日のみの入場利用権の移転に適用した場合、年間ボックスシートの購入料金を一旦払い戻さなければならない。従って、失権救済手続きが複雑化するおそれがある。
【０００９】
ii．年間ボックスシートの場合、一日券を対象とする観客席のチケット再販システムを適用することが困難なことから、年間シート購入者の年間ボックスシートに係る契約席の入場利用権をそのまま残して、随時チケット購入者に当該興行開催当日のみのその契約席を利用させることが難しい。従って、年間シート購入者が興行開催当日に利用できなくなった契約席に係る入場利用権の取り扱いが困難となる。
【００１０】
iii．年間ボックスシートがメインスタンドに多く設置され、そこに空席が目立っていると興行自体が盛り上がらず、興行主催者やプレーヤー等にとって負に作用するところが大きい。年間シート購入者がゲーム開催当日に都合が悪くなる等で失権してしまった契約席に係るコストが無駄となってしまう。
【００１１】
そこで、この発明はこのような従来の課題を解決したものであって、年間シート購入者が興行開催当日に利用できなくなった契約席に係る入場利用権を随時チケット購入者が取得できるようにすると共に、年間ボックスシートの空きを低減できるようにした情報処理装置、情報処理システム及び情報処理方法を提供することを目的とする。
【課題を解決するための手段】
【００１２】
上述した課題を解決する本発明の情報処理装置は、所定の興行場の契約席を利用可能な入場利用権情報を処理する情報処理装置であって、興行場に関して年間を通して利用可能な契約席を購入した者を年間チケット購入者とし、年間シート購入者以外の者を随時チケット購入者としたとき、年間シート購入者から売り対象該当開催日の興行場の契約席に係る入場利用権情報の売り条件を含む注文を受け付け、かつ、随時チケット購入者から任意の入場希望開催日の興行場の空席に係る入場券情報の買い条件を含む注文を受け付ける受付手段と、この受付手段によって受け付けられた年間シート購入者の売り注文と随時チケット購入者の買い注文とを比較し売買条件を照合して成約の有無を判別する判別手段とを備え、成約の有無の判別結果に基づいて売り対象該当開催日の年間シート購入者の契約席に係る入場利用権情報を随時チケット購入者へ移転することを特徴とするものである。
【００１３】
本発明に係る情報処理装置によれば、所定の興行場の契約席を利用可能な入場利用権情報を処理する場合に、受付手段は、年間シート購入者から売り対象該当開催日の興行場の契約席に係る入場利用権情報の売り条件を含む注文を受け付け、かつ、記随時チケット購入者から任意の入場希望開催日の興行場の空席に係る入場券情報の買い条件を含む注文を受け付ける。判別手段は、受付手段によって受け付けられた年間シート購入者の売り注文と随時チケット購入者の買い注文とを比較し売買条件を照合して成約の有無を判別するようになる。この判別結果で成約の有無の判別結果に基づいて売り対象該当開催日のみの年間シート購入者の契約席に係る入場利用権情報を随時チケット購入者へ移転できるようになる。
【００１４】
従って、年間シート購入者が興行開催当日に都合が悪くなる等により利用できなくなった契約席に係る入場利用権情報を随時チケット購入者が希望する１日券的性質の入場券情報としてインターネット等の通信手段を介して取得できるようになる。本来なら失権してしまう当該契約席を会員組織内等で売買できるようになる。
【００１５】
本発明に係る情報処理システムは、所定の興行場の契約席を利用可能な入場利用権情報を処理する情報処理システムであって、興行場に関して年間を通して利用可能な契約席を購入した者を年間シート購入者とし、年間シート購入者以外の者を随時チケット購入者としたとき、年間シート購入者が有する売り対象該当開催日の興行場の契約席に係る入場利用権情報に関して売り条件を含む注文を送信する第１の情報通信処理装置と、随時チケット購入者が希望する任意の入場希望開催日の興行場の空席に係る入場券情報の買い条件を含む注文を送信する第２の情報通信処理装置と、第１の情報通信処理装置から年間シート購入者の売り注文を受信し、かつ、第２の情報通信処理装置から随時チケット購入者の買い注文を受信し、年間シート購入者の売り注文と随時チケット購入者の買い注文とを比較し売買条件を照合して成約の有無を判別する情報処理装置とを備え、情報処理装置は、成約の有無の判別結果に基づいて売り対象該当開催日の年間シート購入者の契約席に係る入場利用権情報を随時チケット購入者の情報通信処理装置へ送信することを特徴とするものである。
【００１６】
本発明に係る情報処理システムによれば、本発明に係る情報処理装置を備えられるので、年間シート購入者が興行開催当日に都合が悪くなる等により利用できなくなった契約席に係る入場利用権情報を随時チケット購入者が希望する１日券的性質の入場券情報としてインターネット等の通信手段を介して取得できるようになる。本来なら失権してしまう当該契約席を会員組織内等で売買できるようになる。
【００１７】
本発明に係る情報処理方法は、所定の興行場の契約席を利用可能な入場利用権情報を処理する情報処理方法であって、興行場に関して年間を通して利用可能な契約席を購入した者を年間シート購入者とし、年間シート購入者以外の者を随時チケット購入者としたとき、一方で年間シート購入者から売り対象該当開催日の興行場の契約席に係る入場利用権情報の売り条件を含む注文を受け付けるステップと、他方で随時チケット購入者から任意の入場希望開催日の興行場の空席に係る入場券情報の買い条件を含む注文を受け付けるステップと、年間シート購入者の売り注文と随時チケット購入者の買い注文とを比較し売買条件を照合して成約の有無を判別するステップと、成約の有無の判別結果に基づいて売り対象該当開催日の年間シート購入者の契約席に係る入場利用権情報を随時チケット購入者へ移転するステップとを有することを特徴とするものである。
【００１８】
本発明に係る情報処理方法によれば、所定の興行場の契約席を利用可能な入場利用権情報を処理する場合に、年間シート購入者が興行開催当日に都合が悪くなる等により利用できなくなった契約席に係る入場利用権情報を随時チケット購入者が希望する１日券的性質の入場券情報としてインターネット等の通信手段を介して取得できるようになる。
【発明の効果】
【００１９】
本発明に係る情報処理装置によれば、年間シート購入者の売り注文と随時チケット購入者の買い注文とを比較し売買条件を照合して成約の有無を判別する判別手段を備え、成約の有無の判別結果に基づいて売り対象該当開催日の年間シート購入者の契約席に係る入場利用権情報を随時チケット購入者へ移転するものである。
【００２０】
この構成によって、年間シート購入者が興行開催当日に都合が悪くなる等により利用できなくなった契約席に係る入場利用権情報を随時チケット購入者が希望する１日券的性質の入場券情報としてインターネット等の通信手段を介して取得できるようになる。本来なら失権してしまう当該契約席を会員組織内等で売買できるようになる。従って、年間ボックスシートの空きを低減できるようになる。
【００２１】
本発明に係る情報処理システム及び情報処理方法によれば、本発明に係る情報処理装置を応用した情報仲介処理装置を備え、年間シート購入者の売り注文と随時チケット購入者の買い注文とを比較し売買条件を照合して成約の有無を判別し、成約の有無の判別結果に基づいて売り対象該当開催日の年間シート購入者の契約席に係る入場利用権情報を随時チケット購入者へ移転するようになされる。
【００２２】
この構成によって、年間シート購入者が興行開催当日に都合が悪くなる等により利用できなくなった契約席に係る入場利用権情報を随時チケット購入者が希望する１日券的性質の入場券情報としてインターネット等の通信手段を介して取得できるようになる。本来なら失権してしまう当該契約席を会員組織内等で売買できるようになる。従って、年間ボックスシートの空きを低減できるようになる。また、興行主催者や興行者等に対して、メイン席が満席になることから、当該興行の盛り上がりに寄与できるようになる。
【発明を実施するための最良の形態】
【００２３】
続いて、この発明に係る情報処理装置、情報処理システム及び情報処理方法について、図面を参照しながら説明をする。
【００２４】
図１は、本発明に係る実施の形態としてのチケット販売システム１の構成例を示す図である。
【００２５】
図１に示すチケット販売システム１は情報処理システムの一例を構成し、インターネット等の通信手段２を利用して、年間シート購入者＃Ａｉ（ｉ＝１、２，３・・・）と随時チケット購入者＃Ｂｊ（ｊ＝１、２，３・・・）との間で入場利用権情報Ｄ０を仲介処理するシステムである。ここに年間シート購入者＃Ａｉとは、所定の興行場４０１の年間を通して利用可能な契約席４０２（年間ボックスシート）を購入した者をいう。
【００２６】
年間ボックスシートは、一般の観客席とシート割り当て領域が異なり、年間ボックスシートは、ばら売り可能となされる。随時チケット購入者＃Ｂｊとは年間シート購入者＃Ａｉ以外の者をいう。ここに入場利用権とは所定の興行場４０１へ入場し、当該興行場４０１に設けられた年間ボックスシートを利用できる権利をいい、入場利用権情報Ｄ０とは入場利用権を内容とする情報をいうものとする。
【００２７】
入場利用権は、所定の興行場４０１を運用する会社、協会等へ相応の金銭を支払って購入するようになされる。興行場４０１には、野球場、サッカー場、庭球場、競馬場、国技館、定期コンサート会場、演芸場、劇場、歌舞伎座等が含まれる。これらの興行場４０１では、年間ボックスシートを利用して、プロ野球チームや、Ｊリーグ各チーム、テニスプレーヤー、競争馬、相撲力士等の観戦、交響楽団員による演奏、演芸家、実演家、歌舞伎役者等の演技を観覧できるようになされる。
【００２８】
この例で年間シート購入者＃Ａｉには第１の情報通信処理装置１００が備えられ、当該年間シート購入者＃Ａｉが有する入場利用権の一部又は全部を売りに出したいとき、チケットの運営会社３０１（仲介業者）に売り注文を送信するように使用される。情報通信処理装置１００には、通信機能付きのパーソナルコンピュータ（以下パソコン１０１という）が使用される。情報通信処理装置１００には、パソコン１０１の代わりに携帯電話機１０２を使用してもよい。
【００２９】
入場利用権の一部又は全部としているのは、売り対象該当開催日のみの興行場４０１の契約席４０２に係るものや、海外転勤で以後の利用が全てできなくなる場合を想定しているためである。売り注文には、入場利用権情報Ｄ０に関して売り条件を含むものである。売り条件には、年間シート購入者の所有する年間ボックスシートに係る契約席の入場利用権をそのまま残して、随時チケット購入者に当該興行開催当日のみのその契約席を利用させる権利が含まれる。つまり、随時チケット購入者は、年間シート購入者から契約席の利用許諾を得て入場できるようになされる。これは契約席の日割り利用許諾相当額を得ることで、購入時に支払ったチケット原価の回収を考慮したためである。
【００３０】
一方、随時チケット購入者＃Ｂｊには第２の情報通信処理装置２００が備えられ、当該随時チケット購入者＃Ｂｊが希望する任意の入場希望開催日の興行場４０１の空席に係る入場券情報を購入したいとき、チケットの運営会社３０１に買い注文を送信するように使用される。情報通信処理装置２００には、通信機能付きのパソコン２０１や、携帯電話機２０２等が使用される。入場券情報とは、入場希望開催日の興行場４０１へ入場できる入場券に係る情報であって、入場利用権情報Ｄ０のような永続性が無く一過性（１日券的性質）の情報をいう。売り注文には、入場利用権情報Ｄ０に関して売り条件を含むものである。例えば、年間ボックスシートに係る契約席の入場利用権をそのまま残して、随時チケット購入者に当該興行開催当日のみのその契約席を利用させる等である。
【００３１】
また、運営会社３０１には仲介処理用の情報処理装置３００が備えられ、情報通信処理装置１００から年間シート購入者＃Ａｉの売り注文を受信し、かつ、情報通信処理装置２００から随時チケット購入者＃Ｂｊの買い注文を受信し、年間シート購入者＃Ａｉの売り注文と随時チケット購入者＃Ｂｊの買い注文とを比較し売買条件を照合して成約の有無を判別するように取り扱われる。情報処理装置３００には、デスクトップ型やノート型のパーソナルコンピュータが使用される。
【００３２】
情報処理装置３００は、成約の有無の判別結果に基づいて売り対象該当開催日のみの年間シート購入者＃Ａｉの契約席４０２に係る入場利用権情報Ｄ０を随時チケット購入者＃Ｂｊの情報処理装置２００へ送信するものである。例えば、売り対象該当開催日のみの年間シート購入者＃Ａｉの契約席４０２に係る入場利用権情報Ｄ０を随時チケット購入者＃Ｂｊの携帯電話機２０２に配信する。随時チケット購入者＃Ｂｊは、入場利用権情報Ｄ０が配信された携帯電話機２０２を興行場４０１に設けられた端末装置４００にかざす。これにより、興行場４０１の端末装置４００が携帯電話機２０２の入場利用権情報Ｄ０を読み取り、当該興行場４０１への入場を許可する。随時チケット購入者＃Ｂｊは、年間シート購入者＃Ａｉの契約席４０２を利用した競技等の観戦が許可される。
【００３３】
続いて、情報処理装置３００について説明する。図２は、情報処理装置３００の構成例を示すブロック図である。
【００３４】
図２に示す情報処理装置３００は、所定の興行場４０１の契約席４０２を利用可能な入場利用権情報Ｄ０を仲介処理する装置である。情報処理装置３００は一部機能が重複するものの受付手段３及び判別手段４を有して構成される。情報処理装置３００には、デスクトップ型又はノート型のパーソナルコンピュータが使用される。
【００３５】
受付手段３は、年間シート購入者＃Ａｉ（売り手会員）から売り対象該当開催日の興行場４０１の契約席４０２に係る入場利用権情報Ｄ０（売りたいチケットに相当）の売り条件を含む注文を受け付け、かつ、随時チケット購入者＃Ｂｊ（買い手会員）から任意の入場希望開催日の興行場４０１の空席に係る入場券情報（購入希望チケット）の買い条件を含む注文を受け付けるようになされる。
【００３６】
受付手段３は、例えば、キーボード１１、マウス１２、Ｉ／Ｏインターフェース１７、モニタ１９及び通信モデム２２から構成され、判別手段４は、ＲＯＭ（Read  Only  Memory）１３、ワーク用のＲＡＭ（Random  Access  Memory）１４、ＣＰＵ（Central  Processing  Unit；中央処理ユニット）１５、不揮発メモリ１６から構成される。
【００３７】
Ｉ／Ｏインターフェース１７にはＣＰＵ１５が接続され、ＣＰＵ１５はシステムバス１８に接続される。システムバス１８にはＲＯＭ１３、ＲＡＭ１４及びハードディスク（以下ＨＤＤ２１という）が接続される。
【００３８】
ＲＯＭ１３には当該装置全体を制御するためのシステム起動用のプログラムデータＤ１３が格納される。ＲＡＭ１４には、プログラムデータＤ１３や、照合処理時の制御コマンド等を一時記憶するようになされる。ＣＰＵ１５は電源がオンされると、ＲＯＭ１３からシステムプログラムデータＤ１３をＲＡＭ１４に読み出してシステムを起動し、当該装置全体を制御するようになされる。
【００３９】
キーボード１１やマウス１２等はＩ／Ｏインターフェース１７に接続され、チケット販売データベースに登録する年間シート購入者＃Ａｉや随時チケット購入者＃Ｂｊ等の個人情報、売りチケットの内容及び購入希望チケットの内容等を入力するように操作される。キーボード１１を操作して入力される数字や文字等の操作データＤ１１は、Ｉ／Ｏインターフェース１７を介してＣＰＵ１５に出力される。マウス１２を操作して入力され、又は指定される操作データＤ１２も同様にしてＣＰＵ１５に入力される。
【００４０】
不揮発メモリ１６には、比較照合判別プログラムＤＰ１やデータベース更新プログラムＤＰ２等を記憶するようになされる。比較照合判別プログラムＤＰ１は、年間シート購入者＃Ａｉの売り注文と随時チケット購入者＃Ｂｊの買い注文とを比較し売買条件を照合して成約の有無を判別するプログラムである。データベース更新プログラムＤＰ２は、チケット販売データベースを更新管理するプログラムである。不揮発メモリ１６には、ＥＥＰＲＯＭが使用される。これらのプログラムをＨＤＤ２１で保存する場合は、不揮発メモリ１６を省略してもよい。
【００４１】
ＨＤＤ２１は、チケット販売データベースを構成し、例えば、年間シート購入者＃Ａｉや随時チケット購入者＃Ｂｊ等の個人情報や登録番号、売りたいチケット、購入希望チケット等の登録情報Ｄ１０や入場利用権情報Ｄ０を格納するようになされる。売りたいチケットや購入希望チケット等の情報は注文情報Ｄ２２に含まれる。ＨＤＤ２１には、チケット販売データベースを作成するための登録情報Ｄ１０や入場利用権情報Ｄ０の他に、不揮発メモリ１６をバックアップするために、比較照合判別プログラムＤＰ１、データベース更新プログラムＤＰ２が格納される。この例で、チケット販売データベースは、ＨＤＤ２１で構成しているが、別個独立に外部記憶装置により、登録情報Ｄ１０を格納するチケット販売データベースを構成してもよい。
【００４２】
Ｉ／Ｏインターフェース１７には通信モデム２２が接続される。通信モデム２２はインターネット等の通信手段２に接続され、年間シート購入者＃Ａｉから注文情報Ｄ２２を受信したり、入場利用権情報Ｄ０を随時チケット購入者＃Ｂｊへ転送するようになされる。注文情報Ｄ２２は、売り対象該当開催日の興行場４０１の契約席４０２に係る入場利用権情報Ｄ０等の売り条件を含むデータである。Ｉ／Ｏインターフェース１７は、キーボード１１やマウス１２等からの操作データＤ１１，Ｄ１２及び、通信モデム２２が受信した注文情報Ｄ２２をＣＰＵ１５に入力する。
【００４３】
Ｉ／Ｏインターフェース１７はＣＰＵ１５からの表示データＤ１９をモニタ１９に出力する。表示データＤ１９は例えば、売り手会員や買い手会員の個人情報や登録番号、売りたいチケット、購入希望チケット等をリスト表示するデータである。モニタ１９は表示データＤ１９に基づいてメニュー画面や登録画面等を表示する他に、売り手会員や買い手会員の個人情報や登録番号、売りたいチケット、購入希望チケット等をリスト表示する。この他に、モニタ１９には、例えば、興行場４０１の契約席４０２の位置を座席番号と共に表示するようになされる。
【００４４】
また、モニタ１９には、チケット販売データベースから読み出された登録情報Ｄ１０に基づく表示データＤ１９が出力される。モニタ１９は、表示データＤ１９に基づいてチケット販売データベースの登録内容を表示する。モニタ１９には液晶表示パネルや、ＰＤＰ表示パネル、ＣＲＴ等が使用される。
【００４５】
上述のＣＰＵ１５は、判別手段４の一例を構成し、例えば、通信モデム２２や、キーボード１１、マウス１２等の操作によって受け付けられた年間シート購入者＃Ａｉの売り注文と随時チケット購入者＃Ｂｊの買い注文とを比較し売買条件を照合して成約の有無を判別する。ＣＰＵ１５は、例えば、売買条件を照合して成約の有無を判別した結果に基づいて売り対象該当開催日のみの年間シート購入者＃Ａｉの契約席４０２に係る入場利用権情報Ｄ０を随時チケット購入者＃Ｂｊへ転送（入場利用権の移転）するようになされる。
【００４６】
このように、情報処理装置３００によれば、所定の興行場４０１の契約席４０２を利用可能な入場利用権情報Ｄ０を処理する場合に、ＣＰＵ１５は、通信モデム２２や、キーボード１１、マウス１２等の操作によって年間シート購入者＃Ａｉの売り注文と随時チケット購入者＃Ｂｊの買い注文とを比較し売買条件を照合して成約の有無を判別するようになる。この判別結果で成約の有無に基づいて売り対象該当開催日のみの年間シート購入者＃Ａｉの契約席４０２に係る入場利用権を随時チケット購入者＃Ｂｊへ移転できるようになる。
【００４７】
従って、年間シート購入者＃Ａｉが興行開催当日に都合が悪くなる等により利用できなくなった契約席４０２に係る入場利用権情報Ｄ０を随時チケット購入者＃Ｂｊが希望する１日券的性質の入場券情報としてインターネット等の通信手段２を介して取得できるようになる。本来なら失権してしまう当該契約席４０２を会員組織内等で売買できるようになる。これにより、年間ボックスシートの空きを低減できるようになる。また、興行主催者や興行者等に対して、メイン席が満席になることから、当該興行の盛り上がりに寄与できるようになる。
【００４８】
次に、実施の形態としての情報処理方法について説明する。図３は、チケット販売システム１における年間シート購入者側の情報処理例を示すフローチャートである。  
この実施の形態では、所定の興行場４０１の契約席４０２を利用可能な入場利用権情報Ｄ０を処理する場合を前提とする。興行場４０１に関して年間を通して利用可能な契約席４０２を購入した者を年間シート購入者＃Ａｉとし、年間シート購入者＃Ａｉ以外の者を随時チケット購入者＃Ｂｊとする。運営会社３０１は、プロ野球チームや、Ｊリーグ各チーム、相撲協会等と業務提携するようになされる。
【００４９】
これらを情報処理条件にして、図３に示すフローチャートのステップＡ１で年間シート購入者＃Ａｉ（売り手）は、パソコン１０１や携帯電話機１０２等を利用して運営会社３０１に売り注文（Ｗｅｂ）を送信する。注文情報Ｄ２２は、図１に示すように、例えば、パソコン１０１や携帯電話機１０２等から通信手段２を通じて運営会社３０１の情報処理装置３００に送信される。このとき、年間シート購入者＃Ａｉは、売り対象該当開催日の入場利用権情報Ｄ０（売りたいチケット）が適用できる所定の興行場４０１の試合日時や、対戦カード、座席番号、希望売買価格等を入力する。
【００５０】
次に、運営会社３０１で売り対象該当開催日の入場利用権情報Ｄ０の随時チケット購入者＃Ｂｊ（買い手）が決まる（売買が成立する）と、ステップＡ２で年間シート購入者＃Ａｉは、運営会社３０１から売買成立通知（売りが成立し旨の受信：Ｗｅｂ通知）を電子メール等により受信する。
【００５１】
次に、ステップＡ３で年間シート購入者＃Ａｉは、売買価格に応じたサービスポイントを運営会社３０１から取得する。サービスポイントは、例えば、１ポイント／１００円とし、次回のチケット購入時に利用可能となされる。サービスポイントは、年間シート購入者＃Ａｉと随時チケット購入者＃Ｂｊとの取引き価格に応じて付与され、後日、チケット購入の際にポイントに応じて売買価格を割り引くようになされる。
【００５２】
そして、ステップＡ４に移行して年間シート購入者＃Ａｉは、運営会社３０１との間で販売料金の精算処理をする。これにより、年間シート購入者＃Ａｉは、本来、失権によりチケット購入費が無駄となるところ、このシステムで、全額の回収はならずも、ある程度の原価を回収できるようになる。年間シート購入者＃Ａｉは、販売料金の精算に関して、電子決済システムを利用して運営会社３０１から代金を受け取るようにしてもよい。この例で、運営会社３０１で販売料金から仲介手数料を差し引いて料金を支払うシステムにしてもよい。
【００５３】
図４は、チケット販売システム１における随時チケット購入者側における情報処理例を示すフローチャートである。
【００５４】
この実施の形態では、売買成立によって随時チケット購入者の携帯電話機等に入場利用権情報Ｄ０を内容とする電子チケット情報がダウンロードされる。また、上述の興行場４０１には年間シート購入者用の入場口４０３が２乃至３カ所に設けられ、ここに興行主催者側の端末装置４００が設置され、携帯電話機２０２をかざすだけで入場可能となされる。
【００５５】
これらを情報処理条件にして、図４に示すフローチャートのステップＢ１で随時シート購入希望者（買い手）は、パソコン２０１や携帯電話機２０２等を利用して運営会社３０１の情報処理装置３００に買い注文（購入希望のチケットの申し込み）を送信する。注文情報Ｄ２２’は、図１に示すように、例えば、パソコン２０１や携帯電話機２０２等から通信手段２又は通信事業者５０１（接続装置）を通じて運営会社３０１の情報処理装置３００に送信される。
【００５６】
次に、運営会社３０１で年間シート購入者＃Ａｉからの売り対象該当開催日の入場利用権情報Ｄ０と、随時シート購入者＃Ｂｊの任意の入場希望該当開催日の入場券情報とが一致する（売買が成立する）と、随時シート購入者＃Ｂｊは、ステップＢ２でこの申し込みの結果を運営会社３０１の情報処理装置３００から受信する。このとき、随時チケット購入者＃Ｂｊは、情報処理装置３００から提示された売買条件を受信する。
【００５７】
随時チケット購入者＃Ｂｊがこの売買条件を承諾すると、ステップＢ３で情報処理装置３００から電子チケット情報＝入場利用権情報Ｄ０をパソコン２０１や携帯電話機２０２等を利用して受信する（Ｗｅｂ成約通知）。このＷｅｂ成約通知により随時チケット購入者＃Ｂｊは、入場を確認できるようになり、年間シート購入者＃Ａｉの契約席４０２を利用して各ゲーム会場で観戦できるようになる。
【００５８】
ステップＢ４で随時チケット購入者＃Ｂｊは、売買価格に応じたサービスポイントを運営会社３０１から取得する。サービスポイントは、年間シート購入者＃Ａｉと随時チケット購入者＃Ｂｊとの取引き価格に応じて付与され、後日、チケット購入の際にポイントに応じて売買価格を割り引くようになされる。
【００５９】
そして、ステップＢ５で随時チケット購入者＃Ｂｊは、野球場や、サッカー場、国技館等への入場時に携帯電話機２０２を端末装置４００にかざし、電子チケット情報を端末装置４００に送信して入場する。このとき、情報通信処置装置が携帯用のパソコン２０１である場合は、バーコード付きのチケット情報を出力し、端末装置４００にかざすようになされる。これにより、端末装置４００がチケット情報を認識し、随時チケット購入者＃Ｂｊの入場が可能となされる。
【００６０】
年間シート購入者＃Ａｉが興行開催当日に都合が悪くなる等により利用できなくなった契約席４０２を随時チケット購入者＃Ｂｊが利用することができるようになる。本来なら、当日の利用権が失権してしまう年間シート購入者＃Ａｉの契約席４０２に着席して、随時チケット購入者＃Ｂｊは各ゲーム等を観戦できるようになる。この入場に先立ち、随時チケット購入者＃Ｂｊは、携帯電話機２０２から端末装置４００へ電子チケット情報を送信して、当該電子チケット情報の正否を確認（照合，認証）するようにしてもよい。
【００６１】
その後、ステップＢ６で随時チケット購入者＃Ｂｊは、運営会社３０１に対して購入料金の精算処理を実行する。例えば、随時チケット購入者＃Ｂｊは、運営会社３０１からチケット購入料の請求を受信する。その後、随時チケット購入者＃Ｂｊは、運営会社３０１の情報処理装置３００に対して決済手続きがなされる。例えば、随時チケット購入者＃Ｂｊは、電子決済システムを利用して運営会社３０１へ代金が支払われる。この例で、随時チケット購入者＃Ｂｊが運営会社３０１への仲介手数料を加算した料金を支払うシステムにしてもよい。
【００６２】
図５は、運営会社側の情報処理装置３００における情報処理例を示すフローチャートである。この実施の形態では、年間シート購入者＃Ａｉの売り注文と随時チケット購入者＃Ｂｊの買い注文とを比較し売買条件を照合して成約の有無を判別する。この売買成約の有無の判別結果に基づいて売り対象該当開催日のみの年間シート購入者＃Ａｉの契約席４０２に係る入場利用権情報Ｄ０を随時チケット購入者＃Ｂｊへ移転する場合を前提とする。
【００６３】
この例で、ＣＰＵ１５は、通信モデム２２や、キーボード１１、マウス１２等の操作によって受け付けられた年間シート購入者＃Ａｉの売り注文と随時チケット購入者＃Ｂｊの買い注文とを比較し売買条件を照合して成約の有無を判別する。ＣＰＵ１５は、例えば、売買条件を照合して成約の有無を判別した結果に基づいて売り対象該当開催日のみの年間シート購入者＃Ａｉの契約席４０２に係る入場利用権情報Ｄ０を随時チケット購入者＃Ｂｊへ転送（入場利用権の移転）するようになされる。
【００６４】
年間シート購入者＃Ａｉや随時チケット購入者＃Ｂｊ等の個人情報や登録番号、売りたいチケット、購入希望チケット等の登録情報Ｄ１０や入場利用権情報Ｄ０は、ＨＤＤ２１から読み出される。売りたいチケットや購入希望チケット等の情報は注文情報Ｄ２２に含まれる。
【００６５】
これらを情報処理条件にして、図５に示すフローチャートのステップＣ１で情報処理装置３００は、チケット売買情報の受信を待機する。このとき、通信モデム２２が年間シート購入者＃Ａｉや、随時チケット購入者＃Ｂｊ等から売り又は買いの注文情報Ｄ２２，Ｄ２２’を受信する。注文情報Ｄ２２は、売り対象該当開催日の興行場４０１の契約席４０２に係る入場利用権情報Ｄ０の売り条件を含むデータである。注文情報Ｄ２２’は、買い対象該当開催日の興行場４０１の空席に係る入場券情報の買い条件を含むデータである。
【００６６】
次に、ステップＣ２で情報処理装置３００は年間シート購入者＃Ａｉ及び随時チケット購入者＃Ｂｊに応じて処理を分ける。売り注文の場合は、ステップＣ３に移行して、年間シート購入者＃Ａｉから売り対象該当開催日の興行場４０１の契約席４０２に係る入場利用権情報Ｄ０の売り条件を含む注文を受け付ける。このとき、チケット販売データベースに登録する年間シート購入者＃Ａｉの個人情報、売りチケットの内容は、キーボード１１やマウス１２等を使用して入力される。チケット販売データベースは、不揮発メモリ１６から読み出したデータベース更新プログラムＤＰ２に基づいて更新するようになされる。
【００６７】
キーボード１１やマウス１２等を操作して入力された操作データＤ１１，Ｄ１２は、Ｉ／Ｏインターフェース１７を介してＣＰＵ１５に入力される。売り注文の内容（売買対象となったチケット情報）は、全会員（当該売り提供者を除く年間シート購入者＃Ａｉ＋随時チケット購入者＃Ｂｊ）に電子メールを使用して運営会社３０１から通知される。その後、ステップＣ５に移行する。
【００６８】
また、ステップＣ２で買い注文の場合は、ステップＣ４に移行して、随時チケット購入者＃Ｂｊから任意の入場希望開催日の興行場４０１の空席に係る入場券情報の買い条件を含む注文を受け付ける。このとき、チケット販売データベースに登録する随時チケット購入者＃Ｂｊ等の個人情報、購入希望チケットの内容は、キーボード１１やマウス１２等を使用してＨＤＤ２１に入力される。
【００６９】
その後、ステップＣ５で年間シート購入者＃Ａｉの売り注文と随時チケット購入者＃Ｂｊの買い注文との比較処理を実行する。この比較処理に基づいてステップＣ６で年間シート購入者＃Ａｉの売り条件と随時チケット購入者＃Ｂｊの買い条件とを照合して成立の有無を判別する。このとき、不揮発メモリ１６から比較照合判別プログラムＤＰ１が読み出される。比較照合判別プログラムＤＰ１に基づいて年間シート購入者＃Ａｉの売り条件と随時チケット購入者＃Ｂｊの買い条件とを照合し、成立の有無を判別するようになされる。年間シート購入者＃Ａｉや随時チケット購入者＃Ｂｊ等の個人情報や登録番号、売りたいチケット、購入希望チケット等の登録情報Ｄ１０や入場利用権情報Ｄ０は、ＨＤＤ２１から読み出される。売りたいチケットや購入希望チケット等の情報は注文情報Ｄ２２に含まれる。
【００７０】
年間シート購入者＃Ａｉの売り条件と随時チケット購入者＃Ｂｊの買い条件とが合わない場合は、ステップＣ２に戻って上述の処理を繰り返すようになされる。これらの売り条件と買い条件とが合致する場合は、ステップＣ７に移行して、売り対象該当開催日のみの年間シート購入者＃Ａｉの契約席４０２に係る入場利用権情報Ｄ０を随時チケット購入者＃Ｂｊへ転送する。例えば、運営会社３０１は随時チケット購入者＃Ｂｊに電子チケット情報を情報処理装置３００を利用して送信する（Ｗｅｂ成約通知）。このとき、通信モデム２２は入場利用権情報Ｄ０を随時チケット購入者＃Ｂｊの携帯電話機２０１又はパソコン２０２へ転送する。
【００７１】
次に、ステップＣ８で運営会社３０１は、情報処理装置３００を利用して、年間シート購入者＃Ａｉ及び随時チケット購入者＃Ｂｊに売買価格に応じたサービスポイントを付与する。サービスポイントは、例えば、１ポイント／１００円とし、次回のチケット購入時に利用可能となされる。サービスポイントは、年間シート購入者＃Ａｉと随時チケット購入者＃Ｂｊとの取引き価格に応じて付与され、後日、チケット購入の際にポイントに応じて売買価格を割り引くようになされる。
【００７２】
そして、ステップＣ９で運営会社３０１は業務提携先にチケット失権依頼を通知する。例えば、運営会社３０１は業務提携しているプロ野球チームや、Ｊリーグ各チーム、相撲協会等に売買対象となったチケット情報を提供し、チケットの失権手続きを依頼通知する。この依頼通知を受けたプロ野球チームや、Ｊリーグ各チーム、相撲協会等の興行主催者はチケット失権手続を完了した後に運営会社３０１にその旨を通知する。
【００７３】
その後、ステップＣ１０で運営会社３０１、年間シート購入者＃Ａｉ及び随時チケット購入者＃Ｂｊの間で精算処理を実行する。例えば、運営会社３０１から随時チケット購入者＃Ｂｊへ購入料金が請求される。このとき、運営会社３０１は契約席４０２の入場利用権情報Ｄ０の売買精算を定期的に行う。例えば、シリーズや○○場所等の終了後に取り引きを集約し、随時チケット購入者＃Ｂｊへこれまでのチケット料金を請求したり、年間シート購入者＃Ａｉへこれまでのチケット料金を支払う。
【００７４】
このように、実施形態としてのチケット販売システム１によれば、本発明に係る情報処理装置３００を備えられるので、年間シート購入者＃Ａｉが興行開催当日に都合が悪くなる等により利用できなくなった契約席４０２に係る入場利用権情報Ｄ０を随時チケット購入者＃Ｂｊが希望する１日券的性質の入場券情報としてインターネット等の通信手段２を介して取得できるようになる。本来なら失権してしまう当該契約席４０２を会員組織内等で売買できるようになる。これにより、年間ボックスシートの空きを低減できるようになる。また、興行主催者や興行者等に対して、メイン席が満席になることから、当該興行の盛り上がりに寄与できるようになる。
【実施例】
【００７５】
続いて、実施例に係る会員制チケット販売システム１０について説明する。図６は、実施例としての会員制チケット販売システム１０におけるデータの流れを示す概念図である。
【００７６】
この実施例では、年間ボックスシートチケットの運営会社（以下、単に運営会社３０１という）には情報処理装置３００が備えられ、運営会社３０１が、プロ野球チームや、Ｊリーグ各チーム及び相撲協会等と業務提携をする場合を前提とする。年間シート購入者＃Ａｉが売り手とし、随時チケット購入者＃Ｂｊが買い手として会員組織を属している場合を例に挙げる。例えば、随時シート購入希望者は買い手会員に登録され、年間シート購入者＃Ａｉは売り手会員に登録される。会員組織に属している者がこのシステムを利用できるようになる。
【００７７】
また、運営会社３０１が業務提携しているプロ野球チームや、Ｊリーグ各チーム、相撲協会等において、野球場や、サッカー場、国技館等の入場口４０３には入場者管理用の端末装置４００が設置される。上述した入場利用権情報Ｄ０は「売りたいチケット」に相当し、入場券情報は「購入希望のチケット」に相当する場合を例に挙げている。
【００７８】
まず、図６に示す情報経路Ｐ１で売り手会員＃Ａｉ（年間シート購入者）は、パソコン１０１や携帯電話機１０２等を利用して運営会社３０１に売り注文（Ｗｅｂ）を出す。このとき、売り手会員＃Ａｉは、売りたいチケットの試合日時や、対戦カード、座席番号、希望売買価格等を入力する。
【００７９】
次に、情報経路Ｐ２で運営会社３０１から売り手会員＃Ａｉに成約通知（Ｗｅｂ）と共にチケット情報を電子メール等により返信する。例えば、運営会社３０１は、売買の対象となったチケット情報を全会員（提供者を除く売り手会員＃Ａｉ＋買い手会員＃Ｂｊ）に電子メールを使用して通知する。更に、情報経路Ｐ３で買い手会員＃Ｂｊ（随時シート購入希望者）は、パソコン２０１や携帯電話機２０２等を利用して運営会社３０１に買い注文を出力する。例えば、買い手会員＃Ｂｊはパソコン２０１や携帯電話機２０２等から購入希望のチケットの申し込みを実行する。
【００８０】
この申し込みの結果、情報経路Ｐ４で運営会社３０１は、買い手会員＃Ｂｊに売買条件を提示して売買成立通知（成約通知（Ｗｅｂ））を送信する。ここで、売買が成立すると、運営会社３０１は売り手会員＃Ａｉに売りが成立し旨を通知し、買い手会員＃Ｂｊに売買条件と共に電子チケット情報Ｄ０（入場券情報）を配信する。売り手会員＃Ａｉは、本来、失権によりチケット購入費が無駄となるところ、このシステム１０で、全額の回収はならずも、ある程度の原価を回収できるようになる。また、情報経路Ｐ５で運営会社３０１は業務提携先にチケット失権依頼を通知する。例えば、業務提携にしているプロ野球チームや、Ｊリーグ各チーム、相撲協会等に売買の対象となったチケット情報を提供し、チケットの失権手続きを依頼通知する。
【００８１】
次に、情報経路Ｐ６でプロ野球チームや、Ｊリーグ各チーム、相撲協会等はチケット失権手続を完了した後に運営会社３０１にその旨を通知する。更に、情報経路Ｐ７で運営会社３０１は買い手会員＃Ｂｊに電子チケット情報を情報処理装置３００からパソコン２０１や携帯電話機２０２等へ送信（提供）する（Ｗｅｂ成約通知）。このＷｅｂ成約通知により買い手会員＃Ｂｊは、入場確認する。これにより、各ゲーム会場で観戦できるようになる。
【００８２】
また、情報経路Ｐ８で運営会社３０１は、売り手会員＃Ａｉ及び買い手会員＃Ｂｊに売買価格に応じたサービスポイントを付与する。サービスポイントは、例えば、１ポイント／１００円とし、次回のチケット購入時に利用可能となされる。サービスポイントは、売り手会員＃Ａｉと買い手会員＃Ｂｊとの取引き価格に応じて付与され、後日、チケット購入の際にポイントに応じて売買価格を割り引くようになされる。
【００８３】
更に、情報経路Ｐ９で買い手会員＃Ｂｊは、野球場や、サッカー場、国技館等への入場時に携帯電話機２０２を端末装置４００にかざし、電子チケット情報を端末装置４００に送信して入場する。年間シート購入者用の入場口４０３は上述の興行場４０１の２乃至３カ所に設けられる。ここに端末装置４００を設置し、携帯電話機２０２をかざすだけで入場可能となされる。
【００８４】
なお、事前に携帯電話機２０２から端末装置４００へ電子チケット情報を送信して、買い手会員＃Ｂｊが当該電子チケット情報の正否を確認（照合，認証）できるようにしてもよい。また、情報通信処置装置が携帯用のパソコン２０１である場合は、バーコード付きのチケット情報を出力し、端末装置４００にかざすようになされる。これにより、端末装置４００がチケット情報を認識し、買い手会員＃Ｂｊの入場が可能となされる。売り手会員＃Ａｉが興行開催当日に都合が悪くなる等により利用できなくなった契約席４０２を買い手会員＃Ｂｊが利用することができるようになる。本来なら、当日の利用権が失権してしまう売り手会員＃Ａｉの契約席４０２に着席して、買い手会員＃Ｂｊは各ゲーム等を観戦できるようになる。
【００８５】
情報経路Ｐ１０では、運営会社３０１から買い手会員＃Ｂｊへチケット料金が請求される。このとき、運営会社３０１は売買の精算を定期的に行う。例えば、シリーズや○○場所等の終了後に取り引きを集約し、買い手会員＃Ｂｊへこれまでのチケット料金を請求する。この請求を受けて、買い手会員＃Ｂｊは情報経路Ｐ１１で運営会社３０１へ代金が支払われる。このとき、買い手会員＃Ｂｊは、例えば、電子決済システムを利用して運営会社３０１へ代金が支払われる。この例で、買い手会員＃Ｂｊが運営会社３０１への仲介手数料を加算した料金を支払うシステムにしてもよい。
【００８６】
また、情報経路Ｐ１２で運営会社３０１は、売り手会員＃Ａｉに料金が支払われる。このとき、売り手会員＃Ａｉは、例えば、売買の精算に関して、電子決済システムを利用して運営会社３０１から代金を受け取る。この例で、運営会社３０１で仲介手数料を差し引いて料金を支払うシステムにしてもよい。
【００８７】
このように、実施例としての会員制チケット販売システム１０及び情報処理方法によれば、本発明に係る情報処理装置３００を備えられるので、会員組織所属の売り手会員＃Ａｉが興行開催当日に都合が悪くなる等により利用できなくなった契約席４０２に係る入場利用権情報Ｄ０をその買い手会員＃Ｂｊが希望する１日券的性質の入場券情報としてインターネット等の通信手段２を介して取得できるようになる。本来なら失権してしまう当該契約席４０２を会員組織内等で売買できるようになる。これにより、年間ボックスシートの空きを低減できるようになる。また、興行主催者や興行者等に対して、メイン席が満席になることから、当該興行の盛り上がりに寄与できるようになる。買い手会員＃Ｂｊは、本来なら失権してしまう売り手会員＃Ａｉの契約席４０２を利用して当該興行を観戦できるようになる。
【産業上の利用可能性】
【００８８】
本発明は、プロ野球チームや、Ｊリーグ各チーム、相撲協会等が主催する興行場を年間を通して利用可能な契約席を年間シート購入者の売り注文と随時チケット購入者の買い注文とを仲介して１日券的性質の入場券情報をインターネット等で売買する会員制チケット販売システムに適用して極めて好適である。
【図面の簡単な説明】
【００８９】
【図１】本発明に係る実施の形態としてのチケット販売システム１の構成例を示す図である。
【図２】情報処理装置３００の構成例を示すブロック図である。
【図３】チケット販売システム１における年間シート購入者側における情報処理例を示すフローチャートである。
【図４】チケット販売システム１における随時チケット購入者側における情報処理例を示すフローチャートである。
【図５】運営会社側の情報処理装置３００における情報処理例を示すフローチャートである。
【図６】実施例としての会員制チケット販売システム１０の構成例及びそのシステムにおけるデータの流れを示す概念図である。
【符号の説明】
【００９０】
１・・・チケット販売システム、２・・・通信手段、１１・・・キーボード、１２・・・マウス、１３・・・ＲＯＭ、１４・・・ＲＡＭ、１５・・・ＣＰＵ、１６・・・不揮発メモリ、１７・・・Ｉ／Ｏインターフェース、１８・・・システムバス、１９・・・モニタ、２１・・・ハードディスク（ＨＤＤ：チケット販売データベース）、２２・・・通信モデム、１００・・・第１の情報通信処理装置、２００・・・第２の情報通信処理装置、３００・・・情報処理装置、４００・・・端末装置、４０２・・・契約席、１０１，２０１・・・パソコン、１０２，２０２・・・携帯電話機
【図１】
2007265260.tif 000003
【図２】
2007265260.tif 000004
【図３】
2007265260.tif 000005
【図４】
2007265260.tif 000006
【図５】
2007265260.tif 000007
【図６】
2007265260.tif 000008